(57)【要約】本発明は、ＯＬＥＤまたはＴＯＬＥＤ（透明なＯＬＥＤ）を適用して製品の構造をスリム化およびコンパクト化することが可能なキーパッド装置が開示される。本発明のキーパッド装置は、タッチパネルの下部にＴＯＬＥＤパネルを備え、ＴＯＬＥＤパネルの下部にキーパッド情報がパターニングされてＴＯＬＥＤパネルの発光したピクセルに対応するキーパッド情報を反射させて表示する反射シートを備える。タッチパネルおよびＴＯＬＥＤパネルに制御部が電気的に接続される。制御部はタッチパネルのタッチポイントに対する電気信号を感知してタッチポイントに対応するＴＯＬＥＤパネルの該当ピクセルを発光させる。【選択図】図１
2012502387.tif 000002
【特許請求の範囲】
【請求項１】
タッチパネルと、
前記タッチパネルの下部に位置するＴＯＬＥＤパネルと、
前記タッチパネルおよび前記ＴＯＬＥＤパネルに電気的に接続され、前記タッチパネルのタッチポイントに対する電気信号を感知して前記タッチポイントに対応する前記ＴＯＬＥＤパネルの該当ピクセルを発光させる制御部と、
前記ＴＯＬＥＤパネルの下部に位置し、キーパッド情報がパターニングされ、前記ＴＯＬＥＤパネルの発光したピクセルに対応する前記キーパッドを反射させて表示する反射シートとを含んでなることを特徴とする、キーパッド装置。
【請求項２】
前記ＴＯＬＥＤパネルは、
基板と、
前記基板上に形成される第１電極と、
前記第１電極上に形成される有機物層と、
前記有機物層上に形成される第２電極と、
前記有機物層と前記第２電極との間および前記第２電極の上部のうち少なくとも１つに形成され、酸化物系、窒化物系、塩類およびこれらの複合物のうちいずれか１つを含む透光層とを含んでなることを特徴とする、請求項１に記載のキーパッド装置。
【請求項３】
前記酸化物系はＭｏＯ３、ＩＴＯ、ＩＺＯ、ＩＯ、ＺｎＯ、ＴＯ、ＴｉＯ２、ＳｉＯ２、ＷＯ３、Ａｌ２Ｏ３、Ｃｒ２Ｏ３、ＴｅＯ２およびＳｒＯ２のうちいずれか１つを含むことを特徴とする、請求項２に記載のキーパッド装置。
【請求項４】
前記窒化物系はＳｉＮおよびＡＩＮのいずれか１つを含むことを特徴とする、請求項２に記載のキーパッド装置。
【請求項５】
前記塩類はＣｓ２ＣＯ３、ＬｉＣＯ３、ＫＣＯ３、ＮａＣＯ３、ＬｉＦ、ＣｓＦおよびＺｎＳｅのうちいずれか１つを含むことを特徴とする、請求項２に記載のキーパッド装置。
【請求項６】
前記透光層は０．１ｎｍ以上１００ｎｍ未満の厚さを有することを特徴とする、請求項２に記載のキーパッド装置。
【請求項７】
前記有機物層は、前記第２電極からの電子注入を円滑にするために仕事関数の低い金属類およびこれらの複合物のうちいずれか１つをドープして形成した電子伝達層を含むことを特徴とする、請求項２に記載のキーパッド装置。
【請求項８】
前記仕事関数の低い金属類はＣｓ、Ｌｉ、Ｎａ、ＫおよびＣａのいずれか１つを含むことを特徴とする、請求項７に記載のキーパッド装置。
【請求項９】
前記これらの複合物はＬｉ−Ａｌ、ＬｉＦ、ＣｓＦおよびＣｓ３ＣＯ３のうちいずれか１つを含むことを特徴とする、請求項７に記載のキーパッド装置。
【請求項１０】
前記ＴＯＬＥＤパネルは波長（ｎｍ）に応じて７０〜９９％の透過率を示すことを特徴とする、請求項２に記載のキーパッド装置。
【請求項１１】
タッチパネルと、
前記タッチパネルの下部に位置し、キーパッド情報がパターニングされ、発光したピクセルに対応する前記キーパッド情報を表示するＯＬＥＤパネルと、
前記タッチパネルおよび前記ＯＬＥＤパネルに電気的に接続され、前記タッチパネルのタッチポイントに対する電気信号を感知して前記タッチポイントに対応する前記ＯＬＥＤパネルの該当ピクセルを発光させる制御部とを含んでなることを特徴とする、キーパッド装置。
【請求項１２】
前記ＯＬＥＤパネルはＴＯＬＥＤパネルを含むことを特徴とする、請求項１１に記載のキーパッド装置。
【請求項１３】
基板と、
前記基板上に形成される第１電極と、
前記第１電極上に形成される有機物層と、
前記有機物層上に形成される第２電極と、
前記有機物層と前記第２電極との間および前記第２電極の上部のうち少なくとも１つに形成され、酸化物系、窒化物系、塩類およびこれらの複合物のうちいずれか１つを含む透光層とを含んでなることを特徴とする、キーパッド装置。
【請求項１４】
請求項１〜１３のいずれか１つのキーパッド装置を備えるモバイル機器。
【請求項１５】
制御部がタッチパネルのタッチポイントに対する電気信号を感知する段階と、
前記タッチパネルの電気信号が感知されると、前記タッチポイントに対応するＴＯＬＥＤパネルの該当パネルに駆動電圧を印加して該当ピクセルを発光させる段階と、
キーパッド情報がパターニングされた反射シートが前記ＴＯＬＥＤパネルの発光したピクセルに対応するキーパッド情報を反射させて表示する段階とを含んでなることを特徴とする、キーパッド制御方法。
【請求項１６】
制御部がタッチパネルのタッチポイントに対する電気信号を感知する段階と、
前記タッチパネルの電気信号が感知されると、前記タッチポイントに対応するＯＬＥＤパネルの該当ピクセルに駆動電圧を印加して該当ピクセルを発光させる段階と、
キーパッド情報がパターニングされた前記ＯＬＥＤパネルが、発光したピクセルに対応する前記キーパッド情報を表示する段階とを含んでなることを特徴とする、キーパッド制御方法。
【請求項１７】
前記ＯＬＥＤパネルはＴＯＬＥＤパネルを含むことを特徴とする、請求項１６に記載のキーパッド制御方法。
【発明の詳細な説明】
【技術分野】
【０００１】
本発明は、キーパッドに関し、より詳しくは、ＯＬＥＤまたはＴＯＬＥＤ（透明なＯＬＥＤ）を適用して製品の構造をスリム化およびコンパクト化することが可能なキーパッド装置、これを備えるモバイル機器およびキーパッド制御方法に関する。
【背景技術】
【０００２】
一般に、携帯電話などの移動通信端末機には、各種情報検索だけでなく、送受信或いは文字入力に必要なキーパッドが装着されている。
【０００３】
従来のキーパッドは、回路パターンがプリントされたプリント基板（ＰＣＢ）の上面にベースシートを接着し、ここにドームスイッチとバックライト用ＬＥＤランプを設置した後、これらの上面にさらにハングルの子・母音、英語のアルファベット、数字などがプリントされた上面シートを設置してなる構成である。
ところが、このような従来のキーパッドは、構造的な特性上、厚さを減らすことができないという問題点がある。言い換えれば、キーパッドを構成するＰＣＢの場合、最小の厚さがなければ回路パターンを実現することができず、ドームスイッチも一定の高さを維持しなければ押圧後の復元が不可能であるうえ、ＬＥＤランプの厚さが加わってキーパッド全体の厚さは常に一定以上の厚さに維持できるしかないという問題点がある。
したがって、従来のキーパッド構造を携帯電話などの移動通信端末機に適用する場合、携帯電話移動通信端末機の全体厚さおよびサイズなどが大きくなるので、スリム化およびコンパクト化を図ることはできない。
【発明の概要】
【発明が解決しようとする課題】
【０００４】
本発明は、かかる問題点を解決するためになされたもので、その目的は、ＯＬＥＤまたはＴＯＬＥＤ（透明なＯＬＥＤ）を適用して製品の構造をスリム化およびコンパクト化することが可能なキーパッド装置を提供することにある。
【０００５】
本発明の他の目的は、前記キーパッド装置を備えるモバイル機器を提供することにある。
【０００６】
本発明の別の目的は、前記キーパッド装置の制御方法を提供することにある。
本発明の目的は上記で言及した目的に限定されず、言及していない別の目的は以降の記載から当業者に明らかに理解できるであろう。
【課題を解決するための手段】
【０００７】
上記目的を達成するために、本発明の一実施例によれば、タッチパネルと、前記タッチパネルの下部に位置するＴＯＬＥＤパネルと、前記タッチパネルおよび前記ＴＯＬＥＤパネルに電気的に接続され、前記タッチパネルのタッチポイントに対する電気信号を感知して前記タッチポイントに対応する前記ＴＯＬＥＤパネルの該当ピクセルを発光させる制御部と、前記ＴＯＬＥＤパネルの下部に位置し、キーパッド情報がパターニングされ、前記ＴＯＬＥＤパネルの発光したピクセルに対応する前記キーパッド情報を反射させて表示する反射シートとを含んでなる、キーパッド装置を提供する。
また、前記ＴＯＬＥＤパネルは、基板と、前記基板上に形成される第１電極と、前記第１電極上に形成される有機物層と、前記有機物層上に形成される第２電極と、前記有機物層と前記第２電極との間および前記第２電極の上部のうち少なくとも１つに形成され、酸化物系、窒化物系、塩類およびこれら複合物のうちいずれか１つを含む透光層とを含んでもよい。
ここで、前記酸化物系はＭｏＯ３、ＩＴＯ、ＩＺＯ、ＩＯ、ＺｎＯ、ＴＯ、ＴｉＯ２、ＳｉＯ２、ＷＯ３、Ａｌ２Ｏ３、Ｃｒ２Ｏ３、ＴｅＯ２およびＳｒＯ２のうちいずれか１つを含んでもよい。
また、前記窒化物系はＳｉＮおよびＡＩＮのいずれか１つを含んでもよい。
また、前記塩類はＣｓ２ＣＯ３、ＬｉＣＯ３、ＫＣＯ３、ＮａＣＯ３、ＬｉＦ、ＣｓＦおよびＺｎＳｅのうちいずれか１つを含んでもよい。
また、前記透光層は０．１ｎｍ以上１００ｎｍ未満の厚さを有することが好ましい。
また、前記有機物層は、前記第２電極からの電子注入を円滑にするために仕事関数の低い金属類およびこれらの複合物のうちいずれか１つをドープして形成した電子伝達層を含んでもよい。
ここで、前記仕事関数の低い金属類はＣｓ、Ｌｉ、Ｎａ、ＫおよびＣａのうちいずれか１つを含んでもよい。
また、前記これらの複合物はＬｉ−Ａｌ、ＬｉＦ、ＣｓＦおよびＣｓ３ＣＯ３のうちいずれか１つを含んでもよい。
また、本発明に係るＴＯＬＥＤパネルは、波長（ｎｍ）に応じて７０〜９９％の透過率を示してもよい。
上記目的を達成するために、本発明の一実施例によれば、制御部がタッチパネルのタッチポイントに対する電気信号を感知する段階と、前記タッチパネルの電気信号が感知されると、前記タッチポイントに対応するＴＯＬＥＤパネルの該当パネルに駆動電圧を印加して該当ピクセルを発光させる段階と、キーパッド情報がパターニングされた反射シートが前記ＴＯＬＥＤパネルの発光したピクセルに対応するキーパッド情報を反射させて表示する段階とを含んでなる、キーパッド制御方法を提供する。
上記目的を達成するために、本発明の他の実施例によれば、タッチパネルと、前記タッチパネルの下部に位置し、キーパッド情報がパターニングされ、発光したピクセルに対応する前記キーパッド情報を表示するＯＬＥＤパネルと、前記タッチパネルおよび前記ＯＬＥＤパネルに電気的に接続され、前記タッチパネルのタッチポイントに対する電気信号を感知して前記タッチポイントに対応する前記ＯＬＥＤパネルの該当ピクセルを発光させる制御部とを含んでなる、キーパッド装置を提供する。ここで、前記ＯＬＥＤパネルはＴＯＬＥＤパネルを含んでもよい。
上記目的を達成するために、本発明の他の実施例によれば、制御部がタッチパネルのタッチポイントに対する電気信号を感知する段階と、前記タッチパネルの電気信号が感知されると、前記タッチポイントに対応するＯＬＥＤパネルの該当ピクセルに駆動電圧を印加して該当ピクセルを発光させる段階と、キーパッド情報がパターニングされた前記ＯＬＥＤパネルが、発光したピクセルに対応する前記キーパッド情報を表示する段階とを含んでなる、キーパッド制御方法を提供する。
上記目的を達成するための本発明の好適な実施例に係るモバイル機器、例えば携帯電話などの移動通信端末機、ＰＭＰなどは上述したキーパッド装置を備えてもよい。
その他の実施例の具体的な事項は詳細な説明および図面に含まれている。
【発明の効果】
【０００８】
上述した本発明によれば、ＯＬＥＤまたはＴＯＬＥＤ（透明なＯＬＥＤ）をキーパッドに適用することにより、携帯電話やＰＭＰなどのモバイル機器製品の構造をスリム化およびコンパクト化することができる。
【０００９】
また、酸化物系、窒化物系、塩類およびこれらの複合物のうちいずれか１つを含む透光層を有機物層と第２電極（カソード電極）との間および第２電極の上部のうち少なくとも１つに形成してＴＯＬＥＤパネルを構成することにより、両面発光のＴＯＬＥＤを実現すると同時に透過率を向上させることができる。
【００１０】
また、透光層を酸化物系、窒化物系、塩類およびこれらの複合物のうちいずれか１つを含む物質で構成することにより、第２電極の内部抵抗の増加を阻止することができて製品の電気的性能を向上させることができる。
本発明の効果は上記で言及した効果に限定されず、言及していない別の効果は請求の範囲の記載から当業者に明らかに理解できるであろう。
【図面の簡単な説明】
【００１１】
【図１】本発明の一実施例に係るキーパッド装置の要部を示す分解斜視図である。
【図２】本発明の一実施例に係るキーパッド装置の構成を示すブロック図である。
【図３】本発明の一実施例に係るキーパッド装置のタッチパッド未動作時の作動状態を説明するための例示図である。
【図４】本発明の一実施例に係るキーパッド装置のタッチパッド動作時の作動状態を説明するための例示図である。
【図５】本発明の一実施例に係るキーパッド装置の制御方法を説明するためのフローチャートである。
【図６】本発明の他の実施例に係るキーパッド装置の要部を示す分解斜視図である。
【図７】本発明の他の実施例に係るキーパッド装置の構成を示すブロック図である。
【図８】本発明の他の実施例に係るキーパッド装置のタッチパッド未動作時の作動状態を説明するための例示図である。
【図９】本発明の他の実施例に係るキーパッド装置のタッチパッド動作時の作動状態を説明するための例示図である。
【図１０】本発明の他の実施例に係るキーパッド装置の制御方法を説明するためのフローチャートである。
【図１１】本発明に係るキーパッド装置のＴＯＬＥＤパネルの構成を示す断面図である。
【図１２】ＴＯＬＥＤパネルの透光層による透過率を示すグラフである。
【図１３】ＴＯＬＥＤパネルの透光層による輝度を示すグラフである。
【図１４】ＴＯＬＥＤパネルに酸化物系、塩類およびこれらの複合物でそれぞれ透光層を形成するときの透過率を示すグラフである。
【図１５】本発明に係るキーパッド装置のＴＯＬＥＤの製造方法を示す順序図である。
【発明を実施するための形態】
【００１２】
本発明の利点、特徴およびこれらの達成方法は、添付図面と共に詳細に後述されている実施例を参照すると、さらに明らかになるであろう。ところが、本発明は、以下に開示する実施例に限定されず、互いに異なる様々な形態で実現できる。但し、本実施例は、本発明の開示を完全たるものにし且つ本発明の属する技術分野における通常の知識を有する者に発明の範疇を完全に知らせるために提供されるものである。本発明は請求の範囲の範疇によって定められる。明細書全体にわたって、同一の参照符号は同一の構成要素を示す。
以下に添付図面を参照しながら、本発明の好適な実施例に係るキーパッド装置、これを備えるモバイル機器およびキーパッド制御方法を詳細に説明する。参考として、本発明を説明するにおいて、関連した公知の機能或いは構成に対する具体的な説明が本発明の要旨を無駄に乱すおそれがあると判断される場合、その詳細な説明を省略する。
図１は本発明の一実施例に係るキーパッド装置の要部を示す分解斜視図、図２は本発明の一実施例に係るキーパッド装置の構成を示すブロック図である。
図１および図２に示すように、本発明の一実施例に係るキーパッド装置は、タッチパネル１０、ＴＯＬＥＤパネル２０、反射シート３０および制御部４０などを備える。
タッチパネル１０は、ペンまたは手によって検光子が押圧され、その力で導電フィルムが押されてＸ−Ｙ電極パターンと接触することにより、Ｘ−Ｙ電極パターンの電圧差を検出する静電容量方式によってタッチポイントに対するシグナル電気信号を発生させる入力装置である。上述したタッチパネル１０は、公知の技術であって理解できるので、詳細構成などは省略する。
タッチパネル１０は、後述するＴＯＬＥＤパネル２０の駆動ＩＣ２０ａおよび制御部４０と電気的に接続される。
タッチパネル１０から発生する電気信号は、プログラムを行う制御部４０を経て、前記タッチポイントに対応するＴＯＬＥＤパネル２０の該当ピクセルの電極を駆動する。
ＴＯＬＥＤ（Ｔｒａｎｓｐａｒｅｎｔ  Ｏｒｇａｎｉｃ  Ｌｉｇｈｔ  Ｅｍｉｔｔｉｎｇ  Ｄｉｏｄｅ）パネル２０は、ＩＴＯ透明陽電極上に正孔輸送層、発光層および電子輸送層をコートした後、透明陰電極を形成するためにＭｇ：Ａｇ（組成比５：９５）を１００Å以内に薄くコートした後、陰電極上に伝導度の補償、保護層の役割および透明度の維持のためのＩＴＯ膜をコートして製造する透明なＯＬＥＤパネルである。上述したＴＯＬＥＤパネル２０は図１１〜図１５を参照して説明するときにさらに詳しく説明する。
ＴＯＬＥＤパネル２０は、タッチパネル１０の下部に位置し、タッチパネル１０のタッチポイントに対応するピクセルが発光する。
ＴＯＬＥＤパネル２０には、制御部４０に連結される駆動ＩＣ２０ａが実装される。
反射シート３０は、ＴＯＬＥＤパネル２０の発光したピクセルに対応するキーパッドパターン３０ａの情報を反射させて表示するように、ＴＯＬＥＤパネル２０の下部に位置する。例えば、携帯電話などの移動通信端末機の場合、キーパッド情報３０ａは、ハングルの子・母音、英語のアルファベット、数字、特殊文字などを含み、反射シート３０にそれぞれの領域が区画されてパターニングできる。
制御部４０は、タッチパネル１０およびＴＯＬＥＤパネル２０に電気的に接続され、タッチパネル１０のタッチポイントに対する電気信号を感知して前記タッチポイントに対応するＴＯＬＥＤパネル２０の該当ピクセルを発光させるようにＴＯＬＥＤパネル２０の駆動ＩＣ２０ａに電圧を印加する。
図面には示されていないが、本発明のモバイル機器は、キーパッド情報がパターニングされた薄い反射シート３０の上部にＴＯＬＥＤパネル２０およびタッチパネル１０を備えてＴＯＬＥＤパネル２０の発光したピクセルに対応するキーパッド情報を反射シート３０が反射して表示する本発明の一実施例に係るキーパッド装置を備えることができる。したがって、ＴＯＬＥＤパネル２０、およびキーパッド情報がパターニングされた反射シート３０をキーパッドに適用することにより、携帯電話やＰＭＰなどのモバイル機器製品の構造をスリム化およびコンパクト化することができる。
図３は本発明の一実施例に係るキーパッド装置のタッチパッド未動作時の作動状態を説明するための例示図、図４はキーパッド装置のタッチパッド動作時の作動状態を説明するための例示図、図５はキーパッド装置の制御方法を説明するためのフローチャートである。
キーパッド装置のタッチパネル１０の未動作時、すなわち使用者がタッチパネル１０をタッチしない場合には、タッチパネル１０から電気信号が発生しないため、ＴＯＬＥＤパネル２０の全体領域が発光しなくなって全体キーパッド情報が表示されない。或いは、図３に示すように、タッチパネル１０から最小限の電気信号が発生してＴＯＬＥＤパネル２０の全体領域が弱く発光し、キーパッド情報がパターニングされた反射シート３０によって全体キーパッド情報が反射されて弱く表示される。
図４および図５に示すように、使用者がタッチパネル１０の所望のタッチポイントを押圧すると、タッチパネル１０が動作してタッチポイントに関連する電気信号を発生させる。制御部４０は、タッチパネル１０のタッチポイントに対する電気信号の発生有無を感知する（Ｓ１０１）。より詳しくは、タッチパネル１０はペンまたは手によって検光子が押圧され、その力で導電フィルムが押されてＸ−Ｙ電極パターンと接触することにより、Ｘ−Ｙ電極パターンの電圧差を検出する静電容量方式によってタッチポイントのシグナル電気信号を発生させる。こうして発生した電気信号はプログラムを行う制御部４０で感知する。
次に、制御部４０がタッチパネル１０のタッチポイントに対する電気信号を感知すると、タッチポイントに対応するＴＯＬＥＤパネル２０の該当ピクセルに駆動電圧を印加して、タッチパネル１０のタッチポイントに該当するＴＯＬＥＤパネル２０のピクセルのみを発光させる（Ｓ１０２）。
その後、キーパッド情報がパターニングされた反射シート３０が、ＴＯＬＥＤパネル２０の発光したピクセルに対応するキーパッド情報のみを反射させて明るく表示する（Ｓ１０３）。或いは、ＴＯＬＥＤパネル２０の全体領域が弱く発光し、タッチされた該当ピクセル位置のみ明るく発光して、該当キーパッド情報のみを反射して明るく表示する。
図６は本発明の他の実施例に係るキーパッド装置の要部を示す分解斜視図、図７はキーパッド装置の構成を示すブロック図である。
図６および図７に示すように、本発明の他の実施例に係るキーパッド装置はタッチパネル１０、ＯＬＥＤ２１および制御部４０などを備える。
図６および図７において、反射シートを省略し、ＴＯＬＥＤパネルをＯＬＥＤパネルから構成する以外は、図１〜図５を参照して説明した本発明の一実施例と同様である。したがって、前記一実施例と同一の構成および作用についてはその詳細な説明を省略する。
ＯＬＥＤ（Ｏｒｇａｎｉｃ  Ｌｉｇｈｔ  Ｅｍｉｔｔｉｎｇ  Ｄｉｏｄｅ）パネル２１は、陰極と陽極から注入された電子と正孔（電子に対応する電荷を帯びた粒子）とが有機物内で結合して光を発生する自発光パネルであり、或いはその自発光現象を用いる有機発光ダイオードである。ＯＬＥＤパネル２１は、公知の技術であって理解できるので、その詳細構成などは省略する。
ＯＬＥＤパネル２１は、タッチパネル１０のタッチポイントに対応するピクセルが発光し、発光したピクセルに対応するキーパッドパターン２１ａの情報を表示するようにタッチパネル１０の下部に位置する。例えば、携帯電話などの移動通信端末機の場合、キーパッド情報は、ハングルの子・母音、英語のアルファベット、数字、特殊文字などを含み、ＯＬＥＤパネル２１にそれぞれの領域が区画されてパターニングできる。
ＯＬＥＤパネル２１には、後述の制御部４０に連結される駆動ＩＣ２０ｂが実装される。
制御部４０は、タッチパネル１０およびＯＬＥＤパネル２１に電気的に接続され、タッチパネル１０のタッチポイントに対する電気信号を感知して前記タッチポイントに対応するＯＬＥＤパネル２１の該当ピクセルを発光させるようにＯＬＥＤパネル２１の駆動ＩＣ２０ｂに電圧を印加する。
図面には示されていないが、本発明のモバイル機器は、キーパッド情報がパターニングされたＯＬＥＤパネル２１の上部にタッチパネル１０を備え、ＯＬＥＤパネル２１の発光したピクセルに対応するキーパッド情報を表示する本発明の他の実施例に係るキーパッド装置を備えることができる。したがって、キーパッドがパターニングされたＯＬＥＤパネル２１をキーパッドに適用することにより、携帯電話やＰＭＰなどのモバイル機器製品の構造をスリム化およびコンパクト化することができる。
図８は本発明の他の実施例に係るキーパッド装置のタッチパッド未作動時の作動状態を説明するための例示図、図９はキーパッド装置のタッチパッド動作時の作動状態を説明するための例示図、図１０はキーパッド装置の制御方法を説明するためのフローチャートである。
キーパッド装置のタッチパネル１０の未動作時、すなわち使用者がタッチパネル１０をタッチしない場合には、タッチパネル１０から電気信号が発生しないため、ＯＬＥＤパネル２１の全体領域が発光しなくなって全体キーパッド情報が表示されない。或いは、図８に示すように、タッチパネル１０から最小限の電気信号が発生してＯＬＥＤパネル２１の全体領域が弱く発光し、ＯＬＥＤパネル２１にパターニングされた全体キーパッド情報が弱く表示される。
図９および図１０に示すように、使用者がタッチパネル１０の所望のタッチポイント位置を押圧すると、タッチパネル１０が動作して、押圧されたタッチポイントに関連する電気信号を発生させる。制御部４０は、タッチパネル１０のタッチポイントに対する電気信号の発生有無を感知する（Ｓ２０１）。
次に、制御部４０がタッチパネル１０のタッチポイントに対する電気信号を感知すると、タッチポイントに対応するＯＬＥＤパネル２１の該当ピクセルに駆動電圧を印加して、タッチパネル１０のタッチポイントに該当するＯＬＥＤパネル２１のピクセルのみを発光させる（Ｓ２０２）。
その後、キーパッド情報がパターニングされたＯＬＥＤパネル２１が、発光したピクセルに対応するキーパッド情報のみを明るく表示する（Ｓ２０３）。或いは、ＯＬＥＤパネル２１の全体領域が弱く発光し、タッチされた該当ピクセル位置のみさらに明るく発光して、該当キーパッド情報のみを明るく表示する。
図１１は本発明に係るキーパッド装置のＴＯＬＥＤパネルの構成を示す断面図である。
図１１に示すように、本発明に係るキーパッド装置のＴＯＬＥＤパネル２０は、基板１００、第１電極１１０、第２電極１２０、有機物層１３０および透光層１４０などを含んでなってもよい。
基板１００は、第１電極１１０、第２電極１２０、有機物層１３０および透光層１４０を支持する。基板１００は、発光する光が透過し得るように透過性を有するガラス材質またはプラスチック材質のものを使用する。
第１電極１２０は、通常、下部電極とも呼び、基板１００上に形成される。第１電極１１０は、陽極（＋）としてのアノードであって、スパッタリング（ｓｐｕｔｔｅｒｉｎｇ）方式、イオンメッキ（ｉｏｎ  ｐｌａｔｉｎｇ）方式および電子銃（ｅ−ｇｕｎ）などを用いた熱蒸着法によって基板１００上に形成される。ここで、本発明の実施例に係る第１電極１１０は、透過性を有するリン錫酸化物（ｉｎｄｉｕｍ  ｔｉｎ−ｏｘｉｄｅ）電極を使用するが、透過性を有するリン亜鉛酸化物（ｉｎｄｉｕｍ  ｚｉｎ−ｏｘｉｄｅ）電極を使用することもできる。
第２電極１２０は、通常、第１電極１１０に対向する上部電極とも呼び、有機物１３０上に形成される。第２電極１２０は、陽極（＋）たる第１電極１１０に相反した陰極（−）たるカソードである。第２電極１２０は、透過性を有する金属としての銀（Ａｇ）、アルミニウム（Ａｌ）およびマグネシウム銀（Ｍｇ：Ａｇ）合金の中から選ばれたいずれか１つで形成される。
有機物層１３０は、第１電極１１０と第２電極１２０との間に介在され、第１電極１１０と第２電極１２０間の通電によって発光する。有機物層１３０は、第１電極１１０と第２電極１２０間の通電によって発光するように、正孔注入層（ｈｏｌｅ  ｉｎｊｅｃｔｉｏｎ  ｌａｙｅｒ：ＨＩＬ）１３１、正孔伝達層（ｈｏｌｅ  ｔｒａｎｓｐｏｒｔｉｎｇ  ｌａｙｅｒ：ＨＴＬ）１３３、発光層（ｅｍｉｓｓｉｖｅ  ｌａｙｅｒ：ＥＭＬ）１３５、電子伝達層（ｅｌｅｃｔｒｏｎ  ｔｒａｎｓｐｏｒｔｉｎｇ  ｌａｙｅｒ：ＥＴＬ）１３７および電子注入層（ｅｌｅｃｔｒｏｎ  ｉｎｊｅｃｔｉｏｎ  ｌａｙｅｒ：ＥＩＬ）１３９から構成される。
ここで、有機物層１３０は、スピンコーティング（ｓｐｉｎ  ｃｏａｔｉｎｇ）方式、熱蒸着（ｔｈｅｒｍａｌ  ｅｖａｐｏｒａｔｉｏｎ）方式、スピンキャスティング（ｓｐｉｎ  ｃａｓｔｉｎｇ）方式、スパッタリング（ｓｐｕｔｔｅｒｉｎｇ）方式、電子ビーム蒸着（ｅ−ｂｅａｍ  ｅｖａｐｏｒａｔｉｏｎ）方式およびＣＶＤ（ｃｈｅｍｉｃａｌ  ｖａｐｏｒ  ｄｅｐｏｓｉｔｉｏｎ）方式などによって第１電極１１０と第２電極１２０との間に介在される。
正孔注入層１３１は、第１電極１１０からの正孔が注入される役割を果たし、正孔伝達層１３３は、正孔注入層１３１から注入された正孔が第２電極１２０の電子と出会うように正孔の移動路の役割を果たす。
電子注入層１３９は、第２電極１２０からの電子が注入される役割を果たし、電子伝達層１３７は、電子注入層１３９から注入された電子が、正孔伝達層１３３から移動する正孔と発光層１３５で出会うように、電子の移動路の役割を果たす。
電子伝達層１３７には、第２電極１２０からの電子注入を円滑にするために、仕事関数の低い金属類およびこれらの複合物のうちいずれか１つをドープして形成することができる。これは電子注入層１３９の有無を問わず全て適用可能である。
ここで、前記仕事関数の低い金属類はＣｓ、Ｌｉ、Ｎａ、Ｋ、Ｃａなどを含むことができ、前記これらの複合物はＬｉ−Ａｌ、ＬｉＦ、ＣｓＦ、Ｃｓ２ＣＯ３などを含むことができる。
一方、発光層１３５は、正孔伝達層１３３と電子伝達層１３７との間に介在され、正孔伝達層１３３からの正孔と電子伝達層１３７からの電子によって発光する。すなわち、発光層１３５はそれぞれ正孔伝達層１３３および電子伝達層１３７との界面で出会う正孔と電子によって発光するのである。
透光層１４０は、有機物層１３０と第２電極１２０との間および第２電極１２０の上部のうち少なくとも１つに形成できる。例えば、透光層１４０は第２電極１２０の上面および下面の両方ともに形成されてもよく、第２電極１２０の下面および上面のいずれか１つにのみ形成されてもよい。
以下、本実施例では、透光層１４０が第２電極１２０を挟んで上面および下面に形成される構成を例示したが、これに限定されず、第２電極１２０の下面および上面のいずれか１つにのみ形成される構成も同様に適用可能である。
透光層１４０は、有機物層１３０と第２電極１２０との間に形成される第１透光層１４１と、第２電極１２０の上部に形成される第２透光層１４２とを含むことができる。
好ましくは、第１透光層１４１は、有機物１３０の電子注入層１３９と第２電極１２０との間に形成されてもよく、電子注入層１３９自体に形成されてもよい。また、第２透光層１４２は第１透光層１４１に対向した第２電極１２０の上面に積層されてもよい。
ここで、透光層１４０は、第２電極１２０が透過性および高い透過率を同時に有することができるように機能する。そして、透光層１４０は、薄膜で形成されて第２電極１２０の面抵抗を減らすことにより、ＴＯＬＥＤパネル２０の性能低下を阻止する。このような透光層１４０の特性については、後述の酸化物系、窒化物系、塩類およびこれらの複合物を説明した後、図１２〜図１４を参照して詳細に説明する。
本発明の透光層１４０は、酸化物系、窒化物系、塩類およびこれらの複合物のうちいずれか１つを含むことができる。
ここで、前記酸化物系はＭｏＯ３、ＩＴＯ、ＩＺＯ、ＩＯ、ＺｎＯ、ＴＯ、ＴｉＯ２、ＳｉＯ２、ＷＯ３、Ａｌ２Ｏ３、Ｃｒ２Ｏ３、ＴｅＯ２、ＳｒＯ２などを含むことができる。また、前記窒化物系はＳｉＮ、ＡＩＮなどを含むことができる。また、前記塩類はＣｓ２ＣＯ３、ＬｉＣＯ３、ＫＣＯ３、ＮａＣＯ３、ＬｉＦ、ＣｓＦ、ＺｎＳｅなどを含むことができる。
上述したように透光層１４０を構成する酸化物系、窒化物系、塩類およびこれらの複合物を使用すると、図１２〜図１４に示すように、優れた透過率と輝度効果を示すので好ましいが、前述したような物質以外にも、第２電極１２０が透過性および高い透過率を同時に有することができるようにする物質はいずれも含まれる。
透光層１４０は、第１透光層１４１と第２透光層１４２が互いに同一の物質で構成されてもよく、互いに異なる物質で構成されてもよい。例えば、第１透光層１４１は酸化物系を含み、第２透光層１４２は窒化物系、塩類およびこれらの複合物を含んでもよい。或いは、第１透光層１４１は窒化物系を含み、第２透光層１４２は酸化物系、塩類およびこれらの複合物を含んでもよい。或いは、第１透光層１４１は塩類を含み、第２透光層１４２は酸化物系、窒化物系およびこれらの複合物を含んでもよい。
透光層１４０は０．１ｎｍ以上１００ｎｍ未満の厚さを有することが好ましい。このような透光層１４０の厚さ数値の限定理由を例として説明すると、透光層１４０の厚さが０．１ｎｍ未満に小さくなる場合、透過率は増加するが、これに比例して抵抗も増加するので、ＴＯＬＥＤパネル２０の性能が低下する。
これに対し、透光層１４０の厚さが１００ｎｍ以上に大きくなる場合には、抵抗が減少して性能の低下は発生しないが、透光層１４０の厚さ増加に伴い透過率が減少する。本発明の実施例に係る透光層１４０は熱蒸着法によって形成されることが好ましい。
次に、図１２〜図１４に示すように、このような構成に対して本発明に係るＴＯＬＥＤパネル２０の特性を考察する。
図１２は本発明のＴＯＬＥＤパネル２０に形成された透光層１４０の有無による透過率を示すグラフである。ここで、図１２の「ａ」は透光層１４０がある本発明に係るＴＯＬＥＤパネル２０の線図であり、「ｂ」は本発明とは異なり透光層１４０がないＴＯＬＥＤパネル２０の線図である。
本発明に係るＴＯＬＥＤパネル２０は波長（ｎｍ）に応じて７０〜９９％の透過率を示すことができる。例えば、図１２に示すように、波長（ｎｍ）による透過率を考察すると、５５０ｎｍで本発明に係るＴＯＬＥＤパネル２０の透過率は約８０％を示し、透光層１４０がないＴＯＬＥＤパネル２０は約４７％を示している。このような結果より、透光層１４０があるＴＯＬＥＤパネル２０の透過率は透光層１４０がないＴＯＬＥＤパネル２０に比べて１．７倍さらに高いことが分かる。
図１３は透光層１４０の有無によるＴＯＬＥＤパネル２０の輝度を示すグラフである。図１３に示した「ｃ」は本発明に係るＴＯＬＥＤパネル２０の線図、「ｄ」は透光層１４０がないＴＯＬＥＤパネル２０の線図である。
電圧（Ｖ）１０Ｖによる輝度を考察すると、透光層１４０があるＴＯＬＥＤパネル２０は約２５０００を示し、透光層１４０がないＴＯＬＥＤパネル２０は約２００００を示している。透光層１４０の有無によって輝度は１．２５倍異なることが分かる。
次に、図１４の「ｅ」線図はＭｏＯ３、ＩＴＯ、ＩＺＯ、ＩＯ、ＺｎＯ、ＴＯ、ＴｉＯ２、ＳｉＯ２、ＷＯ３、Ａｌ２Ｏ３、Ｃｒ２Ｏ３、ＴｅＯ２、ＳｒＯ２などの酸化物系で形成された透光層１４０に対する透過率であり、「ｆ」線図はＣｓ２ＣＯ３、ＬｉＣＯ３、ＫＣＯ３、ＮａＣＯ３、ＬｉＦ、ＣｓＦ、ＺｎＳｅなどの塩類で形成された透光層１４０に対する透過率である。
図１４に示すように、酸化物系から透光層１４０を形成する場合には約８０％の透過率を有し、塩類から透光層１４０を形成する場合には約７５％の透過率を有する。酸化物系を含む透光層１４０が塩類を含む透光層１４０に比べて５％程度高い透過率を有するが、その差が微々たるものなので、本発明の実施例のように酸化物系、塩類およびこれらの複合物を選択的に使用することが好ましい。
以下、このような本発明に係るＴＯＬＥＤパネル２０の製造方法を図１５を参照して考察する。
まず、基板１００上に陽極（＋）としての第１電極１１０を形成する（Ｓ３０１）。
基板１００上に第１電極１１０を形成した後、第１電極１１０上に有機物層１３０を形成する（Ｓ３０２）。ここで、第１電極１１０上の有機物層１３０は正孔注入層１３１、正孔伝達層１３３、発光層１３５、電子伝達層１３７および電子注入層１３９の順に形成する。
有機物層１３０上に第１透光層１４１を形成する（Ｓ３０３）。本発明の一実施例として、第１透光層１４１は酸化物系のＭｏＯ３、ＩＴＯ、ＩＺＯ、ＩＯ、ＺｎＯ、ＴＯ、ＴｉＯ２、ＳｉＯ２、ＷＯ３、Ａｌ２Ｏ３、Ｃｒ２Ｏ３、ＴｅＯ２、ＳｒＯ２などを含むことができる。第１透光層１４１は抵抗および透過率を考慮して０．１ｎｍ以上１００ｎｍ未満の厚さに形成する。
そして、第１透光層１４１上に第２電極１２０を形成する（Ｓ３０４）。第２電極１２０は陰極（−）であって、金属薄膜を使用する。第２電極１２０として使用される金属薄膜は銀（Ａｇ）、アルミニウム（Ａｌ）およびマグネシウム銀（Ｍｇ：Ａｇ）合金のうちいずれか１つで構成される。
第２電極１２０上に第２透光層１４２をさらに形成する（Ｓ３０５）。第２透光層１４２は「Ｓ３０３」段階のように酸化物系を含むことができる。ところが、第２電極１２０上に形成される第２透光層１４２は、ＳｉＮ、ＡＩＮなどの窒化物系、Ｃｓ２ＣＯ３、ＬｉＣＯ３、ＫＣＯ３、ＮａＣＯ３、ＬｉＦ、ＣｓＦ、ＺｎＳｅなどの塩類、およびこれらの複合物を含むことができる。
よって、第２電極１２０を挟んで透光層１４０を形成して両面発光を実現し、透過率を向上させることができる。
また、透光層１４０を形成して第２電極１２０の厚さを調整することができ、これにより透過率および電気的性能を向上させることができる。
以上、添付図面を参照して本発明の実施例を説明したが、本発明の属する技術分野における通常の知識を有する者は、本発明がその技術的思想または必須的な特徴を変更することなく他の具体的な形態で実施できることを理解することができるであろう。したがって、上述した実施例は全ての面で例示的なものに過ぎず、限定的なものではないと理解すべきである。本発明の範囲は前述した詳細な説明よりは後述の特許請求の範囲によって定められ、特許請求の範囲の意味および範囲、そしてその均等概念から導出される全ての変更または変形形態が本発明の範囲に含まれるものと解釈されるべきである。
【産業上の利用可能性】
【００１３】
本発明は、ＴＯＬＥＤ（透明なＯＬＥＤ）を適用して製品の構造をスリム化およびコンパクト化することが可能なキーパッド構造を携帯電話などのモバイル機器に広く使用することができる。
【図２】
2012502387.tif 000003
【図３】
2012502387.tif 000004
【図４】
2012502387.tif 000005
【図５】
2012502387.tif 000006
【図７】
2012502387.tif 000007
【図８】
2012502387.tif 000008
【図９】
2012502387.tif 000009
【図１０】
2012502387.tif 000010
【図１２】
2012502387.tif 000011
【図１３】
2012502387.tif 000012
【図１４】
2012502387.tif 000013
【図１５】
2012502387.tif 000014
2012502387.tif 000015
2012502387.tif 000016
2012502387.tif 000017
2012502387.tif 000018
2012502387.tif 000019
2012502387.tif 000020
2012502387.tif 000021
2012502387.tif 000022
2012502387.tif 000023
2012502387.tif 000024
2012502387.tif 000025
2012502387.tif 000026
2012502387.tif 000027
2012502387.tif 000028
【国際調査報告】
2012502387.tif 000029
2012502387.tif 000030
2012502387.tif 000031
2012502387.tif 000032